(57)【要約】【課題】占い鑑定において最も重要な情報である「被鑑定者が誕生した西暦年月日」のみを用いて、従来に比して正確且つ被鑑定者が所望する占い種目に応じた多様な占い鑑定を行うことができるとともに、被鑑定者側の負担を抑えることができる占い鑑定装置を提供する。【解決手段】出願人が提案する所定の演算方法を用いることにより、被鑑定者が誕生した西暦年月日が示す数字から複数の項を生成し、生成した項が示す値と出願人が提案する占い鑑定テーブルに格納された複数の占いパラメータ値との関係に基づいて占い鑑定の結果を演算するようにしてある。【選択図】図４
2015033515.tif 000002
【特許請求の範囲】
【請求項１】
結婚占い、仕事占い及び性格占いなどの占い鑑定を、対象となる被鑑定者が誕生した西暦年月日に基づいて演算し、その結果を出力する占い鑑定装置であって、
格子状に区分けされた複数のセルを備え、該セルの値が前記被鑑定者の天格、人格及び地格などを示す占いパラメータ値としてそれぞれ設定された占い鑑定テーブルを記憶する記憶手段と、
前記被鑑定者により入力された、結婚占い、仕事占い及び性格占いなどの占い種目と該被鑑定者が誕生した西暦年月日とを受け付ける手段と、
受け付けた前記占い種目に応じて必要となる前記占いパラメータ値を前記占い鑑定テーブルから選定する選定手段と、
受け付けた西暦年と月と日とをそれぞれ各桁を示す数字に分割し、分割した西暦年月日の各桁を示す数字に基づいて複数の項を生成し、生成した複数の項が示す値同士を加算することにより新たな項を生成し、生成した新たな項が示す値同士を加減することにより更なる新たな項を生成する演算手段と、
該演算手段により生成した複数の項が示す値と、前記選定手段により選定された占いパラメータ値との関係に基づいて、前記被鑑定者に対する占い鑑定の結果を演算する手段と、
演算した前記占い鑑定の結果を出力する手段と
を備えることを特徴とする占い鑑定装置。
【請求項２】
前記占い鑑定テーブルは、３行×５列の格子状に区分けされた複数のセル値を備えるものであり、
前記演算手段は、分割した西暦年月日の各桁を示す数字に基づいて、西暦年の千桁を示す数字と百桁を示す数字との和に基づく変数ａと、西暦年の十桁を示す数字と一桁を示す数字との和に基づく変数ｂと、月の十桁を示す数字と一桁を示す数字との和に基づく変数ｃと、日の十桁を示す数字と一桁を示す数字との和に基づく変数ｄとを項として生成し、生成した変数ａ乃至ｄが示す値同士を加算することにより、新たな項を生成し、生成した新たな項が示す値同士を加減することにより更なる新たな項を生成するとともに、
分割した西暦年月日の各桁を示す数字に基づいて、西暦年の百桁を示す数字に基づく変数ｅと、西暦年の一桁を示す数字に基づく変数ｆと、月の一桁を示す数字に基づく変数ｇと、日の一桁を示す数字に基づく変数ｈとを項として生成し、生成した変数ｅ乃至ｈが示す値同士を加算することにより、新たな項を生成し、生成した新たな項が示す値同士を加減することにより更なる新たな項を生成し、
該演算手段において前記変数ａ乃至ｄ並びに変数ｅ乃至ｈに基づいて生成された複数の項が示す値と、前記選定手段により選定された占いパラメータ値との関係に基づいて、前記被鑑定者に対する占い鑑定の結果を演算するようにしてあることを特徴とする請求項１に記載の占い鑑定装置。
【発明の詳細な説明】
【技術分野】
【０００１】
本発明は、結婚占い、仕事占い及び性格占いなどの占い鑑定を、対象となる被鑑定者が誕生した西暦年月日に基づいて演算し、その結果を出力する占い鑑定装置に関する。
【背景技術】
【０００２】
従来、人の心の内、運勢及び未来など、直接観察することができない問題に対する答えを得るために、占い鑑定（運命鑑定）の結果を参考とする場合がある。占いは、天文学、地理学、統計学、更には、占い鑑定師の独自の理論及び経験などが混在して成り立っており、いずれか一つに由来するというものではない。そのため、占いには、様々な種類が存在しており、占い鑑定の対象となる被鑑定者が抱える問題に応じて選択される。
【０００３】
占いは、例えば、「命」、「卜（ぼく）」及び「相」のように分類される。「命」は、運命や宿命などを占うものであり、誕生した生年月日、時間及び出生場所の要素を加えることにより、被鑑定者の生来の性質、傾向及び人生の流れなどを占い鑑定するものである。「命」に属するものとしては、「四柱推命」、「星座占い」、「数秘術」、「算命学」及び「誕生日占い」などがある。
【０００４】
また、「卜」は、人が関わり合う事柄（事件）を占うものであり、何かを決断するときに利用される場合が多く、時間、事象及び方位などに基づいて占い鑑定するものである。「卜」に属するものとしては、「タロット占い」、「水晶占い」及び「御神籤」などがある。
【０００５】
また、「相」は、目に見える対象の姿や形を見て、現在の、被鑑定者への影響や吉凶などを占い鑑定するものである。「相」に属するものとしては、「姓名占い」、「手相占い」、「人相占い」及び「風水」などがある。
【０００６】
例えば、上述する四柱推命にあっては、被鑑定者の生年月日に基づいてその被鑑定者の命式を算出する。その算出方法については、周知のものであるため、本明細書では省略する。占い鑑定師は、被鑑定者の命式を参照することにより、その被鑑定者の基本的な情報を得る。
【０００７】
また、上述する算出結果を補足すべく、所定の情報が記載された一覧表を用い、被鑑定者の具体的な情報を得る。具体的な情報は、「五行」と呼ばれる「木」、「火」、「土」、「金」及び「水」の各要素の強弱の度合いにより表現される。
【０００８】
また、占いにあっては、「五行」の運行として、「天格」、「人格」及び「地格」などが用いられる場合がある。「天格」は、「天運」とも称され、例えば、実家、両親、先祖などに関する運命を示す。「天格」は、晩年になるに応じて影響力が強まるとされている。
【０００９】
また、「人格」は、「人運」とも称され、被鑑定者の内面を示すものであり、例えば、親子に関する運命を示すものである。また、「人格」は、中年期の運勢を示すものである。なお、「人格」は、本来、人間の性格面を示すものであるが、人間の性格が人を触れ合う際に意味があることから、家庭、仕事及び結婚などの運命についても示すものとされている。
【００１０】
また、「地格」は、「地運」とも称され、例えば、夫婦及び妻を示すものである。また、「地格」は、幼年期の運勢を示すものである。また、上述する「人格」は、被鑑定者の内面を示すものであるのに対し、「地格」は、他人の対する自分の印象を示すものであるため、夫婦などの他に、性格、才能、金運及び性的傾向についても示すものとされている。
【００１１】
また、上述する「数秘術」にあっては、被鑑定者の、誕生した生年月日や姓名に基づき、固有の計算式を用いて運勢傾向や先天的な宿命を占い鑑定する。その算出方法については、例えば、被鑑定者が誕生した生年月日を数字に置き換え、所定の式に代入することにより算出し、算出された数字が有する意味合いを読み取ることにより占い鑑定を行う。
【００１２】
また、被鑑定者の誕生した生年月日は、「姓」が結婚などにより変わることと異なり、一生変わることがないため、持って生まれた性格や先天的な宿命などを占い鑑定する際の基本情報とされる場合が多い。
【００１３】
ところで、近年、電子計算機、通信装置及びインターネット網の発達に伴い、被鑑定者が操作する端末装置が、該被鑑定者の個人情報を中央装置に送信し、中央装置が、受信した個人情報に基づき被鑑定者の占い鑑定を演算し、被鑑定人の端末装置に返送する占い鑑定システムが広く知られている。
【００１４】
更にまた、近年の占い鑑定システムとして、被鑑定者の誕生した生年月日の他に、被鑑定者に関する個人情報を可能な限り入力させ、より正確且つ多様な占い鑑定を行うことができるシステムが提案されてている（例えば、特許文献１）。
【先行技術文献】
【特許文献】
【００１５】
【特許文献１】特開２００３−１１９７４号公報
【発明の概要】
【発明が解決しようとする課題】
【００１６】
しかしながら、特許文献１に記載のシステムにあっては、より正確且つ多様な占い鑑定を行うべく、被鑑定者（利用者）に対し、自らが誕生した生年月日の他に、誕生地、居住地、結婚年月日及びその他の行動に関する情報など、多数の個人情報の入力を強いることとなるため、被鑑定者（利用者）の入力負担が大きくなるという問題を有する。また、被鑑定者（利用者）が、多数の個人情報のいずれかを、誤入力するか又は入力漏れするかにより、正確な占い鑑定が不可能になるという問題を有する。
【００１７】
一方、上述するように、被鑑定者の誕生した生年月日は、一生変わることがないため、被鑑定者を示す個人情報として最も意味のあるデータとなり、占い鑑定において最も重要なデータとなる。
【００１８】
本発明は、かかる事情を鑑みてなされたものであり、出願人が提案する所定の演算方法を用いることにより、被鑑定者が誕生した西暦年月日が示す数字のみを用いて複数の項を生成し、生成した項が示す値と出願人が提案する占い鑑定テーブルに格納された複数の占いパラメータ値との関係に基づいて占い鑑定の結果を演算することにより、占い鑑定において最も重要な情報である「被鑑定者が誕生した西暦年月日」のみを用いて、従来に比して正確且つ被鑑定者が所望する占い種目に応じた多様な占い鑑定を行うことができるとともに、被鑑定者側の負担を抑えることができる占い鑑定装置を提供することを目的とする。
【課題を解決するための手段】
【００１９】
請求項１記載の占い鑑定装置は、  結婚占い、仕事占い及び性格占いなどの占い鑑定を、対象となる被鑑定者が誕生した西暦年月日に基づいて演算し、その結果を出力する占い鑑定装置であって、格子状に区分けされた複数のセルを備え、該セルの値が前記被鑑定者の天格、人格及び地格などを示す占いパラメータ値としてそれぞれ設定された占い鑑定テーブルを記憶する記憶手段と、前記被鑑定者により入力された、結婚占い、仕事占い及び性格占いなどの占い種目と該被鑑定者が誕生した西暦年月日とを受け付ける手段と、受け付けた前記占い種目に応じて必要となる前記占いパラメータ値を前記占い鑑定テーブルから選定する選定手段と、受け付けた西暦年と月と日とをそれぞれ各桁を示す数字に分割し、分割した西暦年月日の各桁を示す数字に基づいて複数の項を生成し、生成した複数の項が示す値同士を加算することにより新たな項を生成し、生成した新たな項が示す値同士を加減することにより更なる新たな項を生成する演算手段と、該演算手段により生成した複数の項が示す値と、前記選定手段により選定された占いパラメータ値との関係に基づいて、前記被鑑定者に対する占い鑑定の結果を演算する手段と、演算した前記占い鑑定の結果を出力する手段とを備えることを特徴とする。
【００２０】
請求項２記載の占い鑑定装置は、前記占い鑑定テーブルは、３行×５列の格子状に区分けされた複数のセル値を備えるものであり、前記演算手段は、分割した西暦年月日の各桁を示す数字に基づいて、西暦年の千桁を示す数字と百桁を示す数字との和に基づく変数ａと、西暦年の十桁を示す数字と一桁を示す数字との和に基づく変数ｂと、月の十桁を示す数字と一桁を示す数字との和に基づく変数ｃと、日の十桁を示す数字と一桁を示す数字との和に基づく変数ｄとを項として生成し、生成した変数ａ乃至ｄが示す値同士を加算することにより、新たな項を生成し、生成した新たな項が示す値同士を加減することにより更なる新たな項を生成するとともに、分割した西暦年月日の各桁を示す数字に基づいて、西暦年の百桁を示す数字に基づく変数ｅと、西暦年の一桁を示す数字に基づく変数ｆと、月の一桁を示す数字に基づく変数ｇと、日の一桁を示す数字に基づく変数ｈとを項として生成し、生成した変数ｅ乃至ｈが示す値同士を加算することにより、新たな項を生成し、生成した新たな項が示す値同士を加減することにより更なる新たな項を生成し、該演算手段において前記変数ａ乃至ｄ並びに変数ｅ乃至ｈに基づいて生成された複数の項が示す値と、前記選定手段により選定された占いパラメータ値との関係に基づいて、前記被鑑定者に対する占い鑑定の結果を演算するようにしてあることを特徴とする。
【発明の効果】
【００２１】
本発明にあっては、占い鑑定において最も重要な情報である「被鑑定者が誕生した西暦年月日」のみを用いて、従来に比して正確且つ被鑑定者が所望する占い種目に応じた多様な占い鑑定を行うことができる。
【図面の簡単な説明】
【００２２】
【図１】本発明に係る占い鑑定システムの全体構成を示す模式図である。
【図２】図１の占い鑑定システムが備える占い鑑定装置の構成を示すブロック図である。
【図３】図２の占い鑑定装置が備えるＣＰＵの機能ブロック図である。
【図４】図２のＣＰＵが備える変数への代入機能及び関数演算機能を説明するための図である。
【図５】図２のＣＰＵが備える占いパラメータ値選定機能及び占い鑑定機能で用いる占い鑑定テーブルを説明する図である。
【図６】図２のＣＰＵが備える対応付け機能で用いる対応表を説明する図である。
【図７】図２のＣＰＵが実行する占い鑑定処理の手順を示すフローチャートである。
【図８】図２のＣＰＵが実行する占い鑑定処理の手順を示すフローチャートである。
【図９】図２のＣＰＵが実行する占い鑑定処理の手順を示すフローチャートである。
【図１０】図２のＣＰＵが実行する占い鑑定処理の手順を示すフローチャートである。
【発明を実施するための形態】
【００２３】
（占い鑑定システムの全体構成について）
本発明に係る占い鑑定装置を実施の形態を示す図面に基づいて以下説明する。図１は本発明に係る占い鑑定システムの全体構成を示す模式図、図２は図１の占い鑑定システムが備える占い鑑定装置の構成を示すブロック図、図３は図２の占い鑑定装置が備えるＣＰＵの機能ブロック図である。図中、占い鑑定システムは、複数の端末装置１と、通信網ＮＷを介して端末装置１と通信可能なサーバ２とを備える。
【００２４】
端末装置１は、占い鑑定の対象となる被鑑定者９が操作可能な端末装置である。端末装置１は、例えば、被鑑定者９が所有する携帯型の電子式汎用計算機（パーソナルコンピュータ）や多機能携帯電話機（スマートフォン）などが該当する。
【００２５】
端末装置１は、被鑑定者９による情報入力を受け付ける操作部１０と、受け付けた情報を通信網ＮＷを介してサーバ２に送受信する通信部１１と、サーバ２から受信した占い鑑定の結果を出力するモニタ部１２と、これらを制御するプロセッサ１３とを備える。
【００２６】
サーバ２は、被鑑定者９が誕生した西暦年月日に基づいて、被鑑定者９が所望する占い鑑定の種目に応じた占い鑑定を演算する占い鑑定装置である。サーバ２は、例えば、占い鑑定師８が運営する会社内に設置されている。
【００２７】
サーバ２は、外部記憶部２１と、通信部２２と、ＲＡＭ２３と、補助記憶部２４と、情報出力部２５と、操作部２６と、ＣＰＵ２７とを備え、これらがバス２８を介して接続されている。
【００２８】
外部記憶部２１は、外部から挿入された可搬式記録媒体２０に記録されているデータを読み取り、サーバ２内に取り込む。可搬式記録媒体２０は、例えば、プログラム２４０、変数データ２４１、関数データ２４２、占い鑑定テーブル２４３、対応表２４４及びその他データを記録している。
【００２９】
通信部２２は、通信網ＮＷを介して、複数の端末装置１と接続してデータの授受を行う。ＲＡＭ２３は、データを一時的に記憶し、記憶順及び記憶領域に関係なく読み書きすることができる半導体記憶装置であり、ＣＰＵ２７の処理中に発生したデータを一時的に記憶する。
【００３０】
補助記憶部２４は、半導体メモリを用いたＳｏｌｉｄ  Ｓｔａｔｅ  Ｄｒｉｖｅ（ＳＳＤ）や磁気記憶方式を用いたハードディスクなどが該当し、外部記憶部２１を介して取り込まれたデータ、通信部２２を介して授受されたデータ、サーバ２に占い鑑定処理を実行させるプログラム２４０、西暦年月日が示す数字を代入する変数データ２４１、変数データ２４１から所定の値を演算する関数データ２４２、占いパラメータ値を格納する占い鑑定テーブル２４３、所定の値と占いパラメータ値との対応関係を示す対応表２４４及びその他のデータを記憶し、必要に応じて読み出す。なお、これらのデータについては、後述にて詳細に説明する。
【００３１】
情報出力部２５は、液晶ディスプレイやスピーカなどを備え、操作者に対して情報を画像や音声として出力する。操作部２６は、キーボードやマウスなどを備え、操作者により入力されたデータを受け付ける。
【００３２】
ＣＰＵ２７は、端末装置１から受信した、被鑑定者９が誕生した西暦年月日及び被鑑定者９が所望する占い鑑定の種目を受け付け、更に、占い鑑定処理の実行要求を受け付けることを契機とすることにより、補助記憶部２４に記憶してあるプログラム２４０、変数データ２４１、関数データ２４２、占い鑑定テーブル２４３及び対応表２４４などを適宜読み出す。
【００３３】
また、ＣＰＵ２７は、読み出したプログラム２４０の命令に従い、西暦年と月と日とをそれぞれ各桁に示す数字に分割し、分割した西暦年月日の各桁を示す数字を所定の変数データ２４１に代入することにより、複数の項を生成する。即ち、ＣＰＵ２７は、変数への代入機能２７０を備える。
【００３４】
また、ＣＰＵ２７は、変数への代入機能２７０により生成した複数の項が示す値同士を、関数データ２４２を用いて、加算することにより新たな項を生成し、関数データ２４２に基づいて生成した新たな項が示す値同士を、関数データ２４２を用いて、加減することにより新たな項を更に生成する。即ち、ＣＰＵ２７は、関数演算機能２７１を備える。
【００３５】
また、ＣＰＵ２７は、読み出した対応表２４４が示す対応関係に基づいて、関数データ２４２に基づいて生成した複数の項が示す値と、占い鑑定テーブル２４３に格納された占いパラメータ値と対応付ける。即ち、ＣＰＵ２７は、対応付け機能２７２を備える。
【００３６】
また、ＣＰＵ２７は、受け付けた占い鑑定の種目に応じて、必要となる複数の占いパラメータ値を占い鑑定テーブル２４３から抽出する。即ち、ＣＰＵ２７は、占いパラメータ値選定機能２７３を備える。
【００３７】
また、ＣＰＵ２７は、占いパラメータ値選定機能２７３により選定した占いパラメータ値に対応する、関数データ２４２に基づいて生成した複数の項が示す値同士の関係に基づいて、被鑑定者９が所望する占い種目に応じた占い鑑定の結果を演算する。即ち、ＣＰＵ２７は、占い鑑定機能２７４を備える。
【００３８】
更にまた、ＣＰＵ２７は、演算した占い鑑定の結果を、占い鑑定処理の実行を要求した端末装置１に送信する。
【００３９】
（占い鑑定装置が実行する処理手順について）
図４はＣＰＵ２７が備える変数への代入機能２７０及び関数演算機能２７１を説明する図、図５はＣＰＵ２７が備える占いパラメータ値選定機能２７３及び占い鑑定機能２７４が用いる占い鑑定テーブル２４３を説明する図、図６はＣＰＵ２７が備える対応付け機能２７２が用いる対応表２４４を説明する図、図７乃至１０はＣＰＵ２７が実行する占い鑑定処理の手順を示すフローチャートである。
【００４０】
端末装置１のプロセッサ１３は、被鑑定者９により入力された、自らが誕生した西暦年月日、自らが所望する占い種目及び処理の実行要求を操作部１０を介して受け付けて、通信部１１を介してサーバ２に送信する。
【００４１】
サーバ２のＣＰＵ２７は、端末装置１から占い鑑定処理の実行要求を受信し、補助記憶部２４からプログラム２４０を読み出し、読み出したプログラム２４０に従い、以下の処理を実行する。
【００４２】
ＣＰＵ２７は、端末装置１から被鑑定者９が誕生した西暦年月日を受信し（Ｓ１０１）、補助記憶部２４から所定の変数データ２４１を読み出す（Ｓ１０２）。所定の変数データ２４１は、変数ａ乃至ｈからなる。
【００４３】
ＣＰＵ２７は、図４に示すように、受信した西暦年月日を示す数字を、西暦年の千桁（及び百桁）を示す数字ｉ（及びｊ）と、西暦年の十桁（及び一桁）を示す数字ｍ（及びｎ）と、月の十桁（及び一桁）を示す数字ｐ（及びｑ）と、日の十桁（及び一桁）を示す数字ｒ（及びｓ）とに分割し、ＲＡＭ２３内にて二次元平面的に表現し得る仮想的な樹形図２４５の中央部分に縦方向に展開する。
【００４４】
また、ＣＰＵ２７は、西暦年の千桁を示す数字ｉと百桁を示す数字ｊとを加算した数字（ｉ＋ｊ）を、変数ａに代入する（Ｓ１０３）。また、ＣＰＵ２７は、西暦年の十桁を示す数字ｍと一桁を示す数字ｎとを加算した数字（ｍ＋ｎ）を変数ｂに代入する（Ｓ１０４）。また、ＣＰＵ２７は、月の十桁を示す数字ｐと一桁を示す数字ｑとを加算した数字（ｐ＋ｑ）を変数ｃに代入する（Ｓ１０５）。また、ＣＰＵ２７は、日の十桁を示す数字ｒと一桁を示す数字ｓとを加算した数字（ｒ＋ｓ）を変数ｄに代入する（Ｓ１０６）。また、ＣＰＵ２７は、代入した変数ａ乃至ｄを項として、仮想的な樹形図２４５の中央部分の左側に縦方向に展開する。
【００４５】
また、ＣＰＵ２７は、西暦年の百桁を示す数字ｊを変数ｅに代入する（Ｓ１０７）。また、ＣＰＵ２７は、西暦年の一桁を示す数字ｎを変数ｆに代入する（Ｓ１０８）。また、ＣＰＵ２７は、月の一桁を示す数字ｑを変数ｇに代入する（Ｓ１０９）。ＣＰＵ２７は、日の一桁を示す数字ｓを変数ｈに代入する（Ｓ１１０）。また、ＣＰＵ２７は、代入した変数ｅ乃至ｈを項として、仮想的な樹形図２４５の中央部分の右側に縦方向に展開する。
【００４６】
また、ＣＰＵ２７は、補助記憶部２４から所定の関数データ２４２を読み出す（Ｓ１１１）。所定の関数データ２４２は、関数Ａ乃至Ｑからなる。ＣＰＵ２７は、仮想的な樹形図２４５に展開した変数ａ乃至ｈを関数Ａ乃至Ｑに渡す。
【００４７】
まず、ＣＰＵ２７は、仮想的な樹形図２４５の中央部分の左側の領域において、以下の処理を実行する。ＣＰＵ２７は、変数ａ及びｂを引数として関数Ｂに渡し、その引数の和を関数Ｂの戻り値とする（Ｓ１１２）。また、ＣＰＵ２７は、変数ｂ及びｃを引数として関数Ｇに渡し、その引数の和を関数Ｇの戻り値とする（Ｓ１１３）。また、ＣＰＵ２７は、変数ｃ及びｄを引数として関数Ｌに渡し、その引数の和を関数Ｌの戻り値とする（Ｓ１１４）。
【００４８】
続いて、ＣＰＵ２７は、関数Ｂの戻り値と関数Ｇの戻り値とを引数として関数Ａに渡し、その引数の和を関数Ａの戻り値とする（Ｓ１１５）。また、ＣＰＵ２７は、関数Ｇの戻り値と関数Ｌの戻り値とを引数として関数Ｋに渡し、その引数の和を関数Ｋの戻り値とする（Ｓ１１６）。
【００４９】
最後に、ＣＰＵ２７は、関数Ａの戻り値と関数Ｋの戻り値とを引数として関数Ｆに渡し、その引数の和を関数Ｆの戻り値とする（Ｓ１１７）。その結果、仮想的な樹形図２４５は、中央部分から左側に向かって、順番に「関数Ｂ，Ｇ，Ｌ」と「関数Ａ，Ｋ」と「関数Ｆ」との戻り値が項として配された略三角形の領域を有する。
【００５０】
次に、ＣＰＵ２７は、仮想的な樹形図２４５の中央部分の右側の領域において、以下の処理を実行する。ＣＰＵ２７は、変数ｅ及びｆを引数として関数Ｄに渡し、その引数の和を関数Ｄの戻り値とする（Ｓ１１８）。また、ＣＰＵ２７は、変数ｆ及びｇを引数として関数Ｉに渡し、その引数の和を関数Ｉの戻り値とする（Ｓ１１９）。また、ＣＰＵ２７は、変数ｇ及びｈを引数として関数Ｎに渡し、その引数の和を関数Ｎの戻り値とする（Ｓ１２０）。
【００５１】
続いて、ＣＰＵ２７は、関数Ｄの戻り値と関数Ｉの戻り値とを引数として関数Ｅに渡し、その引数の和を関数Ｅの戻り値とする（Ｓ１２１）。また、ＣＰＵ２７は、関数Ｉの戻り値と関数Ｎの戻り値とを引数として関数Ｏに渡し、その引数の和を関数Ｏの戻り値とする（Ｓ１２２）。
【００５２】
最後に、ＣＰＵ２７は、関数Ｅの戻り値と関数Ｏの戻り値とを引数として関数Ｊに渡し、その引数の和を関数Ｊの戻り値とする（Ｓ１２３）。その結果、仮想的な樹形図２４５は、中央部分から右側に向かって、順番に「関数Ｄ，Ｉ，Ｎ」と「関数Ｅ，Ｏ」と「関数Ｊ」との戻り値が項として配された略三角形の領域を有する。
【００５３】
次に、ＣＰＵ２７は、仮想的な樹形図２４５上に項として展開した戻り値に基づいて、この仮想的な樹形図２４５の下方領域に新たな値を項として展開する。具体的には、以下のように処理を実行する。
【００５４】
ＣＰＵ２７は、仮想的な樹形図２４５の左側の領域に展開した関数Ｆの戻り値を、下方領域に展開する（Ｓ１２４）。また、ＣＰＵ２７は、関数Ｂの戻り値と関数Ｌの戻り値とを引数として関数Ｃに渡し、その引数の和を関数Ｃの戻り値とし、関数Ｃの戻り値を下方領域に展開する（Ｓ１２５）。
【００５５】
続いて、ＣＰＵ２７は、仮想的な樹形図２４５の右側の領域に展開した関数Ｊの戻り値を、下方領域に展開する（Ｓ１２６）。また、ＣＰＵ２７は、関数Ｄの戻り値と関数Ｎの戻り値とを引数として関数Ｍに渡し、その引数の和を関数Ｍの戻り値とし、関数Ｍの戻り値を下方領域に展開する（Ｓ１２７）。
【００５６】
続いて、ＣＰＵ２７は、仮想的な樹形図２４５の下方領域において展開した関数Ｃの戻り値と関数Ｍの戻り値とを引数として関数Ｈに渡し、その引数の和を関数Ｈの戻り値とし、関数Ｈの戻り値を展開する（Ｓ１２８）。また、ＣＰＵ２７は、同じく関数Ｃの戻り値と関数Ｍの戻り値とを引数として関数Ｐに渡し、その引数の差を関数Ｐの戻り値とし、関数Ｐの戻り値を下方領域に展開する（Ｓ１２９）。
【００５７】
最後に、ＣＰＵ２７は、関数Ｈの戻り値と関数Ｐの戻り値とを関数Ｑに渡し、関数Ｈの戻り値から関数Ｐの戻り値を差し引いた値を関数Ｑの戻り値とする（Ｓ１３０）。
【００５８】
次に、ＣＰＵ２７は、補助記憶部２４から占い鑑定テーブル２４３を読み出す（Ｓ１３１）。占い鑑定テーブル２４３は、図５に示すように、３行×５列の格子状に区分けされた複数のセルを備える。各セルは、上から順番に第１行、第２行及び第３行と区切られ、左から順番に第１列、第２列、第３列、第４列及び第５列と区切られる。また、各セルは、第１行／１列の位置から右側に向かって、セルＡ、セルＢ、セルＣ、セルＤ及びセルＥと設定され、第２行／１列の位置から右側に向かって、セルＦ、セルＧ、セルＨ、セルＩ及びセルＪと設定され、第３行／１列の位置から右側に向かって、セルＫ、セルＬ、セルＭ、セルＮ及びセルＯと設定されている。
【００５９】
また、各セルは、格納される値に、被鑑定者９の天格、人格及び地格などを示す占いパラメータ値がそれぞれ設定されている。セルＡ乃至Ｅの値には、天格を示す占いパラメータ値が設定されている。セルＡの値は、最晩年期における被鑑定者９の家に課された運命と将来を示す。例えば、仕事を示す。セルＢの値は、未成長期における被鑑定者９の家に課された運命を示す。例えば、結婚式、夫婦及び家族などを示す。セルＣの値は、中年期における被鑑定者９の家に課された運命を示す。例えば、両親との関係及び本人の仕事運などを示す。セルＤの値は、未成長期における、代々継承していく被鑑定者９の家に課された運命を示す。例えば、誕生した時からの状況などを示す。セルＥの値は、最晩年期における被鑑定者９の家に課された運命の結果像を示す。例えば、社会運や生家との家系などを示す。
【００６０】
セルＦ乃至Ｊの値には、人格を示す占いパラメータ値が設定されている。セルＦの値は、被鑑定者９に課された経済的な運命を示す。セルＧの値は、継承運、夫婦のあり方及び子供の性格を示す。セルＨの値は、全体を支える影響、即ち、「命点」を示す。セルＩの値は、夫婦運、親子関係及び夫婦の性格を示す。セルＪの値は、晩年における被鑑定者９に課された運命を示す。
【００６１】
セルＫ乃至Ｏの値には、地格を示す占いパラメータ値が設定されている。セルＫの値は、５６歳以降の晩年における家庭事情及び健康を示す。なお、被鑑定者９が女性の場合、親子三代による因縁を示す。また、夫婦の晩年のあり方を示す。セルＬの値は、未成長期における家庭事情、生活状況及び家族構成を示す。セルＭの値は、中年期における家庭事情を示す。中年期とは、生活盛成期であり、１歳から３５歳までをいう。セルＮの値は、最晩年期の家庭事情、生活状況及び家族構成を示す。最晩年期とは、５５歳以降をいう。セルＯの値は、被鑑定者９の家系に課された運命及び家庭事情を示す。３６歳から５５歳までの期間を示す。
【００６２】
次に、ＣＰＵ２７は、補助記憶部２４から対応表２４４を読み出す。対応表２４４は、図６に示すように、関数Ａの戻り値とセルＡの占いパラメータ値とを対応付ける。以下、関数Ｂの戻り値とセルＢの占いパラメータ値、関数Ｃの戻り値とセルＣの占いパラメータ値、関数Ｄの戻り値とセルＤの占いパラメータ値、関数Ｆの戻り値とセルＦの占いパラメータ値、関数Ｇの戻り値とセルＧの占いパラメータ値、関数Ｈの戻り値とセルＨの占いパラメータ値、関数Ｉの戻り値とセルＩの占いパラメータ値、関数Ｊの戻り値とセルＪの占いパラメータ値、関数Ｋの戻り値とセルＫの占いパラメータ値、関数Ｌの戻り値とセルＬの占いパラメータ値、関数Ｍの戻り値とセルＭの占いパラメータ値、関数ＮとセルＮの占いパラメータ値、及び、関数Ｏの戻り値とセルＯの占いパラメータ値、をそれぞれ対応付ける。
【００６３】
次に、ＣＰＵ２７は、上述する複数の占いパラメータ値のうち、ステップＳ１０１にて受信した占い種目に応じて必要となる複数の占いパラメータ値を選定する（Ｓ１３２）。なお、選定すべき複数の占いパラメータ値については、後述にて説明する。
【００６４】
ＣＰＵ２７は、選定した複数の占いパラメータ値に対応する、関数に基づいて生成した複数の項が示す値同士の関係に基づいて、占い鑑定の結果を演算する（Ｓ１３３）。ＣＰＵ２７は、演算した占い鑑定の結果を、占い鑑定処理の実行を要求する端末装置１に送信する（Ｓ１３４）。なお、占い鑑定の種目に応じた占い鑑定の演算方法については、後述にて説明する。
【００６５】
端末装置１のプロセッサ１３は、サーバ２から占い鑑定の結果を通信部１１を介して受信し、受信した占い鑑定の結果をモニタ部１２を介して出力する。
【００６６】
（選定すべき占いパラメータ値と、占い種目に応じた占い鑑定の演算方法とについて）
第１に、被鑑定者９が「二人の被鑑定者９の相性運勢」という種目を所望する場合、ＣＰＵ２７は、上述する複数の占いパラメータ値のうちから、セルＬ乃至Ｎの占いパラメータ値を選定する。例えば、選定したセルの占いパラメータ値にそれぞれ対応する関数Ｌの戻り値と、関数Ｍの戻り値と、関数Ｎの戻り値とについて、一の被鑑定者９のそれが「１６、３２、１５」であり、他の被鑑定者９のそれが「１１、２２、１１」とする。
【００６７】
ＣＰＵ２７は、各戻り値について、「１と６、３と２、１と５」及び「１と１、２と２、１と１」となるように、十桁を示す数字と一桁を示す数字とに分割し、「１＋６、３＋２、１＋５」及び「１＋１、２＋２、１＋１」となるように分割した数字を加算し、「（１＋６）＋（３＋２）＋（１＋５）」及び「（１＋１）＋（２＋２）＋（１＋１）」となるように加算した値の和を算出する。
【００６８】
ＣＰＵ２７は、「１８−８」及び「８−８」となるように和に値「−８」を付した項を生成し、生成した項を計算することにより「１０−０」のように表現する。ＣＰＵ２７は、結果「１０−０」に基づいて、二人の被鑑定者９の相性運勢の結果を演算する。鑑定の結果は、補助記憶部２４にカテゴリに応じて分類されて記憶されている。因みに、結果「１０−０」は、「複数同数」というカテゴリに属し、「一方の被鑑定者９が再婚者の場合には非常に相性が良い」という結果を示す。その他のカテゴリに属する結果については割愛する。
【００６９】
第２に、被鑑定者９が「仕事運、職場及び業種」という種目を所望する場合、ＣＰＵ２７は、上述する占いパラメータ値のうちから、セルＡとセルＣとセルＥとの占いパラメータ値を選定する。例えば、選定したセルの占いパラメータ値にそれぞれ対応する関数Ａの戻り値と、関数Ｃの戻り値と、関数Ｅの戻り値とについて、被鑑定者９のそれが「３９、３１、２２」とする。
【００７０】
ＣＰＵ２７は、各戻り値について、「３と９、３と１、２と２」のように十桁を示す数字と一桁を示す数字とに分割し、「３＋９、３＋１、２＋２」のように分割した数字を加算し、更に「（３＋９）＋（３＋１）＋（２＋２）」のように加算した値の和を算出する。
【００７１】
ＣＰＵ２７は、和「２０」に基づいて、被鑑定者９の仕事運などの結果を演算する。因みに、和「２０」は、「１０型」というカテゴリに属し、「協調性と融通の効く娯楽性を好む職場に適している。例えば、自営業、不動産オーナ、出版印刷業界、チェーン店経営などである。」という結果を示す。その他のカテゴリに属する結果については割愛する。
【００７２】
第３に、被鑑定者９が「誕生日による性格形成」という種目を所望する場合、ＣＰＵ２７は、上述する複数の占いパラメータ値のうちから、セルＨとセルＬとセルＮとの占いパラメータ値を選定する。例えば、選定したセルの占いパラメータ値にそれぞれ対応する関数Ｈの戻り値と、関数Ｌの戻り値と、関数Ｎの戻り値とについて、被鑑定者９のそれが「７１、１５、１３」とする。
【００７３】
ＣＰＵ２７は、「７１−１５−１３」のように順番に減算する。ＣＰＵ２７は、減算結果「４３」に基づいて、被鑑定者９の誕生日による性格形成の結果を演算する。因みに、減算結果「４３」は、ＴＹＰＥ３というカテゴリに属し、「妥協する能力によって得る権力者タイプ。名誉も財産も積み上げていく。健康的には無理を重ねて突然折れるまでよく遊びよく働く。」という結果を示す。その他のカテゴリに属する結果については割愛する。
【００７４】
第４に、被鑑定者９が「恋愛運」という種目を所望する場合、ＣＰＵ２７は、上述する占いパラメータ値のうちから、セルＦとセルＪとの占いパラメータ値を選定する。例えば、選定した占いパラメータ値にそれぞれ対応する関数Ｆの戻り値と、関数Ｊの戻り値とについて、被鑑定者９のそれが「６７、４０」とする。
【００７５】
ＣＰＵ２７は、各戻り値について、「６と７、４と０」のように十桁を示す数字と一桁を示す数字とに分割し、「６＋７＋４＋０」のように分割した数字の和を算出する。
【００７６】
ＣＰＵ２７は、和「１７」に基づいて、被鑑定者９の恋愛運の結果を演算する。因みに、和「１７」は、「指令１７」というカテゴリに属し、「いい人が居ても先入観が強くあって認識を変えることができない。恋愛に関しては、不器用といった指令がある。友人の力を借りること。」という結果を示す。その他のカテゴリに属する結果については割愛する。
【００７７】
第５に、被鑑定者９が「宿命運判断」という種目を所望する場合、ＣＰＵ２７は、上述する占いパラメータ値のうちから、セルＣとセルＦとセルＪとの占いパラメータ値を選定する。例えば、選定した占いパラメータ値にそれぞれ対応する関数Ｃの戻り値と、関数Ｆの戻り値と、関数Ｊの戻り値とについて、被鑑定者９のそれが「３１、６９、４４」とする。
【００７８】
ＣＰＵ２７は、各戻り値について、「３と１、６と９と、４と４」のように十桁を示す数字と一桁を示す数字とに分割し、「（３＋１）＋（６＋９）＋（４＋４）」の分割した数字の和を算出する。また、ＣＰＵ２７は、和「２７」を「２と７」のように十桁を示す数字と一桁を示す数字とに分割し、「２＋７」のように分割した数字を加算する。
【００７９】
ＣＰＵ２７は、結果「９」に基づいて、被鑑定者９の宿命運判断の結果を演算する。因みに、結果「９」は、９番のカテゴリに属し、「急変する暗示があり、名誉を得、華やかな生き方が突然崩壊することがある。離合集散の意味があり、女性は特に虚栄心が強くなる。」という結果を示す。
【符号の説明】
【００８０】
１  端末装置
１０  操作部
１１  通信部
１２  モニタ部
１３  プロセッサ
２  サーバ
２０  可搬式記録媒体
２１  外部記憶部
２２  通信部
２３  ＲＡＭ
２４  補助記憶部
２４０  プログラム
２４１  変数データ
２４２  関数データ
２４３  占い鑑定テーブル
２４４  対応表
２４５  仮想的な樹形図
２５  情報出力部
２６  操作部
２７  ＣＰＵ
２７０  変数への代入機能
２７１  関数演算機能
２７２  対応付け機能
２７３  占いパラメータ値選定機能
２７４  占い鑑定機能
２８  バス
８  占い鑑定師
９  被鑑定者
【図１】
2015033515.tif 000003
【図２】
2015033515.tif 000004
【図３】
2015033515.tif 000005
【図４】
2015033515.tif 000006
【図５】
2015033515.tif 000007
【図６】
2015033515.tif 000008
【図７】
2015033515.tif 000009
【図８】
2015033515.tif 000010
【図９】
2015033515.tif 000011
【図１０】
2015033515.tif 000012